【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
購入予定の商品に関して予約を受け付けた際に当該商品を購入するための優先購入権を示す情報と顧客に関する情報とを予約情報ファイルに格納し、当該商品の入庫が発生した際に前記優先購入権を示す情報に従って在庫確保を示す情報を前記予約情報ファイルに格納する注文受付サーバと、
当該商品の入庫が発生した際にその旨のメールを前記顧客に関する情報に対応するアドレスに発信するメールサーバと、
前記予約情報ファイルにおいて前記在庫確保を示す情報を有する商品について購入手続を行うためのユーザ端末と
を具備することを特徴とする商品販売システム。
【請求項２】
購入予定の商品に関する購入予定商品情報を保持するバスケットファイルと、
予約された商品に関する予約商品情報を保持する予約情報ファイルと、
前記バスケットファイルに保持された前記購入予定商品情報に基づいて商品一覧を表示することにより商品予約入力を促し、商品予約入力がされた場合には当該商品予約入力に対応する予約商品情報を前記予約情報ファイルに保持させる購入処理手段と、
商品の入庫が発生した際に前記予約情報ファイルにおける当該入庫商品に対応する予約商品情報を更新する管理手段と、
前記予約情報ファイルに保持された前記予約商品情報に基づいて予約商品一覧を表示することにより商品購入入力を促し、商品購入入力がされた場合には当該商品購入入力に対応する購入予定商品情報を前記バスケットファイルに保持させる予約処理手段と
を具備することを特徴とする注文受付サーバ。
【請求項３】
購入予定の商品に関する購入予定商品情報を保持するバスケットファイルと、
予約された商品に関する予約商品情報であって在庫状態を示す予約在庫ステータスと予約の優先順位を示す予約順位とを含む予約商品情報を保持する予約情報ファイルと、
前記バスケットファイルに保持された前記購入予定商品情報に基づいて商品一覧を表示することにより商品予約入力を促し、商品予約入力がされた場合には当該商品予約入力に対応する予約商品情報において前記予約在庫ステータスを未入荷状態とし、前記予約順位を最下位として前記予約情報ファイルに保持させる購入処理手段と、
商品の入庫が発生した際に前記予約情報ファイルにおける当該入庫商品に対応する予約商品情報において前記予約順位の高いものから優先して前記予約在庫ステータスを在庫確保状態に更新する管理手段と、
前記予約情報ファイルに保持された前記予約商品情報に基づいて予約商品一覧を表示することにより前記予約在庫ステータスが在庫確保状態である商品について商品購入入力を促し、商品購入入力がされた場合には当該商品購入入力に対応する購入予定商品情報を前記バスケットファイルに保持させる予約処理手段と
を具備することを特徴とする注文受付サーバ。
【請求項４】
商品の在庫状態に関する情報を保持する在庫情報ファイルをさらに具備し、
前記購入処理手段は、前記商品一覧を表示する際に前記在庫情報ファイルが在庫有状態を示す商品については前記商品予約入力を促さずに在庫有の表示をする
ことを特徴とする請求項３記載の注文受付サーバ。
【請求項５】
商品の予約に関する種別を示す予約タイプを含む商品情報ファイルをさらに具備し、
前記購入処理手段は、前記商品一覧を表示する際に、前記予約タイプが予約受付商品または取寄せ商品であることを示す商品については前記商品予約入力を促し、前記予約タイプが予約不可商品であることを示す商品については前記商品予約入力を促さない
ことを特徴とする請求項３記載の注文受付サーバ。
【請求項６】
商品の予約に関する種別を示す予約タイプと組商品に関する情報とを含む商品情報ファイルをさらに具備し、
前記購入処理手段は、前記商品一覧を表示する際に、前記組商品に関する情報により組商品であって本体であることを示す商品については組商品の全ての要素商品に関する前記予約タイプが予約受付商品または取寄せ商品であれば組商品全体としての前記商品予約入力を促し、組商品の少なくとも一つの要素商品に関する前記予約タイプが予約不可商品であれば組商品全体としての前記商品予約入力を促さず、前記組商品に関する情報により組商品であって本体でないことを示す商品については要素商品としての前記商品予約入力を促さない
ことを特徴とする請求項３記載の注文受付サーバ。
【請求項７】
前記組商品は注文仕様生産商品である
ことを特徴とする請求項６記載の注文受付サーバ。
【請求項８】
前記予約処理手段は、前記予約商品一覧を表示する際に、前記予約在庫ステータスが未入荷状態を示す商品については前記商品購入入力を促さずに入荷待ちの表示をし、前記予約在庫ステータスが在庫確保状態を示す商品については在庫確保中であることを示して前記商品購入入力を促し、前記予約在庫ステータスが在庫開放状態を示す商品については在庫確保期間が終了したことを示し、前記予約在庫ステータスが販売終了状態を示す商品については前記商品購入入力を促さずに商品販売期間が終了したことを示す
ことを特徴とする請求項３記載の注文受付サーバ。
【請求項９】
組商品に関する情報を含む商品情報ファイルをさらに具備し、
前記予約処理手段は、前記予約商品一覧を表示する際に、前記組商品に関する情報により組商品であって本体であることを示す商品については組商品全体としての前記商品購入入力を促し、前記組商品に関する情報により組商品であって本体でないことを示す商品については要素商品としての前記商品購入入力を促さない
ことを特徴とする請求項３記載の注文受付サーバ。
【請求項１０】
前記組商品は注文仕様生産商品である
ことを特徴とする請求項９記載の注文受付サーバ。
【請求項１１】
入庫予定の商品に関する暫定在庫商品情報を保持する暫定在庫ファイルをさらに具備し、
前記管理手段は、
入庫予定の商品が発生した際に当該入庫予定商品に対応する暫定在庫商品情報を前記暫定在庫ファイルに保持させる暫定在庫管理手段と、
前記暫定在庫ファイルに保持された前記暫定在庫商品情報に基づいて前記予約情報ファイルの前記予約商品情報において前記予約順位の高いものから優先して前記予約在庫ステータスを在庫確保状態に更新する入庫割当て手段と
を備える
ことを特徴とする請求項３記載の注文受付サーバ。
【請求項１２】
前記暫定在庫管理手段は、
前記バスケットファイルに購入予定商品情報が保持された商品について購入取消入力がされた場合に当該購入取消入力に対応する購入予定商品情報を前記バスケットファイルから削除して当該購入取消入力に対応する商品を前記入庫予定商品として前記暫定在庫ファイルに前記暫定在庫商品情報を保持させるバスケット管理手段を備える
ことを特徴とする請求項１１記載の注文受付サーバ。
【請求項１３】
前記暫定在庫管理手段は、
前記バスケットファイルに保持されている購入予定商品情報について保持から所定期間経過しているものを前記バスケットファイルから削除して当該削除に対応する商品を前記入庫予定商品として前記暫定在庫ファイルに前記暫定在庫商品情報を保持させるバスケット管理手段を備える
ことを特徴とする請求項１１記載の注文受付サーバ。
【請求項１４】
前記暫定在庫管理手段は、
前記予約情報ファイルに予約商品情報が保持された商品について予約取消入力がされた場合に当該予約取消入力に対応する予約商品情報を前記予約情報ファイルから削除して当該予約取消入力に対応する商品を前記入庫予定商品として前記暫定在庫ファイルに前記暫定在庫商品情報を保持させる予約情報管理手段を備える
ことを特徴とする請求項１１記載の注文受付サーバ。
【請求項１５】
前記暫定在庫管理手段は、
前記予約情報ファイルに保持されている予約商品情報について入庫から所定期間経過しているものを前記予約情報ファイルから削除して当該削除に対応する商品を前記入庫予定商品として前記暫定在庫ファイルに前記暫定在庫商品情報を保持させる予約情報管理手段を備える
ことを特徴とする請求項１１記載の注文受付サーバ。
【請求項１６】
組商品に関する情報を含む商品情報ファイルをさらに具備し、
前記予約情報管理手段は、前記組商品に関する情報により組商品を構成する商品であることが示される商品に関しては当該組商品を構成する全ての商品の入庫が完了したときを前記所定期間の起算点とする
ことを特徴とする請求項１５記載の注文受付サーバ。
【請求項１７】
前記組商品は注文仕様生産商品である
ことを特徴とする請求項１６記載の注文受付サーバ。
【請求項１８】
前記暫定在庫管理手段は、
決済サーバにより決済拒否された商品を前記入庫予定商品として前記暫定在庫ファイルに前記暫定在庫商品情報を保持させる決済管理手段を備える
ことを特徴とする請求項１１記載の注文受付サーバ。
【請求項１９】
組商品に関する情報を含む商品情報ファイルをさらに具備し、
前記予約情報ファイルは、前記予約商品情報の一つとして予約商品のロケーションを含み、
前記暫定在庫ファイルは、前記暫定在庫商品情報の一つとして入庫予定商品のロケーションを含み、
前記入庫割当て手段は、前記組商品に関する情報により組商品であることを示す商品については、前記予約商品情報のロケーションと前記暫定在庫商品情報のロケーションとが一致した場合に前記在庫確保状態への更新を行う
ことを特徴とする請求項１１記載の注文受付サーバ。
【請求項２０】
前記組商品は注文仕様生産商品である
ことを特徴とする請求項１９記載の注文受付サーバ。
【請求項２１】
前記管理手段は、
前記予約情報ファイルを検索して前記予約商品情報を編集する検索手段を備える
ことを特徴とする請求項３記載の注文受付サーバ。
【請求項２２】
前記検索手段は、
前記予約情報ファイルにおける所定の商品に関する予約商品情報について前記予約順位を所定規則により設定する
ことを特徴とする請求項２１記載の注文受付サーバ。
【請求項２３】
前記検索手段は、
前記予約情報ファイルにおける所定の商品に関する予約商品情報について前記予約順位をランダムに設定する
ことを特徴とする請求項２１記載の注文受付サーバ。
【請求項２４】
購入予定の商品に関する購入予定商品情報を保持するバスケットファイルと、商品の在庫状態に関する情報を保持する在庫情報ファイルと、商品の予約に関する種別を示す予約タイプを含む商品情報ファイルと、予約された商品に関する予約商品情報を保持する予約情報ファイルとを備えるコンピュータに、
前記バスケットファイルに保持された前記購入予定商品情報に基づいて商品一覧を表示する手順と、
前記商品一覧において前記在庫情報ファイルが在庫有状態を示す商品について在庫有の表示をする手順と、
前記商品一覧において前記商品情報ファイルの前記予約タイプが予約不可商品であることを示す商品について予約不可の表示をする手順と、
前記商品一覧において前記商品情報ファイルの前記予約タイプが予約受付商品または取寄せ商品であることを示す商品について商品予約入力を促す手順と、
前記商品予約入力がされた場合には当該商品予約入力に対応する前記予約商品情報を前記予約情報ファイルに保持させる手順と
を実行させることを特徴とするプログラム。
【請求項２５】
購入予定の商品に関する購入予定商品情報を保持するバスケットファイルと、商品の在庫状態に関する情報を保持する在庫情報ファイルと、商品の予約に関する種別を示す予約タイプと組商品に関する情報とを含む商品情報ファイルと、予約された商品に関する予約商品情報を保持する予約情報ファイルとを備えるコンピュータに、
前記バスケットファイルに保持された前記購入予定商品情報に基づいて商品一覧を表示する手順と、
前記商品一覧において前記商品情報ファイルの前記組商品に関する情報により組商品であって本体であることを示す商品については組商品の全ての要素商品に関して前記在庫情報ファイルが在庫有状態を示していれば在庫有の表示をする手順と、
前記商品一覧において前記商品情報ファイルの前記組商品に関する情報により組商品であって本体であることを示す商品については組商品の少なくとも一つの要素商品に関して前記商品情報ファイルの前記予約タイプが予約不可商品であることを示していれば予約不可の表示をする手順と、
前記商品一覧において前記商品情報ファイルの前記組商品に関する情報により組商品であって本体であることを示す商品については組商品の全ての要素商品に関して前記商品情報ファイルの前記予約タイプが予約受付商品または取寄せ商品であることを示していれば商品予約入力を促す手順と、
前記商品情報ファイルの前記組商品に関する情報により組商品であって本体であることを示す商品について前記商品予約入力がされた場合には当該商品予約入力に対応する組商品の全ての要素商品に関して前記予約商品情報を前記予約情報ファイルに保持させる手順と
を実行させることを特徴とするプログラム。
【請求項２６】
購入予定の商品に関する購入予定商品情報を保持するバスケットファイルと、予約された商品に関する予約商品情報であって在庫状態を示す予約在庫ステータスを含む予約商品情報を保持する予約情報ファイルとを備えるコンピュータに、
前記予約情報ファイルに保持された前記予約商品情報に基づいて予約商品一覧を表示する手順と、
前記予約商品一覧において前記予約情報ファイルの前記予約在庫ステータスが未入荷状態を示す商品について入荷待ちの表示をする手順と、
前記予約商品一覧において前記予約情報ファイルの前記予約在庫ステータスが在庫開放状態を示す商品について在庫確保期間が終了したことを示す表示をする手順と、
前記予約商品一覧において前記予約情報ファイルの前記予約在庫ステータスが販売終了状態を示す商品について商品販売期間が終了したことを示す表示をする手順と、
前記予約商品一覧において前記予約情報ファイルの前記予約在庫ステータスが在庫確保状態を示す商品について在庫確保中であることを示して商品購入入力を促す手順と、
前記商品購入入力がされた場合には当該商品購入入力に対応する購入予定商品情報を前記バスケットファイルに保持させる手順と
を実行させることを特徴とするプログラム。
【請求項２７】
購入予定の商品に関する購入予定商品情報を保持するバスケットファイルと、予約された商品に関する予約商品情報であって在庫状態を示す予約在庫ステータスを含む予約商品情報を保持する予約情報ファイルと、組商品に関する情報を含む商品情報ファイルとを備えるコンピュータに、
前記予約情報ファイルに保持された前記予約商品情報に基づいて予約商品一覧を表示する手順と、
前記予約商品一覧において前記商品情報ファイルの前記組商品に関する情報により組商品であって本体であることを示す商品については組商品の少なくとも一つの要素商品に関して前記予約情報ファイルの前記予約在庫ステータスが未入荷状態を示していれば入荷待ちの表示をする手順と、
前記予約商品一覧において前記予約情報ファイルの前記予約在庫ステータスが在庫開放状態を示す商品について在庫確保期間が終了したことを示す表示をする手順と、
前記予約商品一覧において前記商品情報ファイルの前記組商品に関する情報により組商品であって本体であることを示す商品については組商品の少なくとも一つの要素商品に関して前記予約情報ファイルの前記予約在庫ステータスが販売終了状態を示していれば商品販売期間が終了したことを示す表示をする手順と、
前記予約商品一覧において前記商品情報ファイルの前記組商品に関する情報により組商品であって本体であることを示す商品については組商品の全ての要素商品に関して前記予約情報ファイルの前記予約在庫ステータスが在庫確保状態を示していれば在庫確保中であることを示して商品購入入力を促す手順と、
前記商品情報ファイルの前記組商品に関する情報により組商品であって本体であることを示す商品について前記商品購入入力がされた場合には当該商品購入入力に対応する組商品の全ての要素商品に関して購入予定商品情報を前記バスケットファイルに保持させる手順と
を実行させることを特徴とするプログラム。
【請求項２８】
予約された商品に関する予約商品情報であって在庫状態を示す予約在庫ステータスと予約の優先順位を示す予約順位と在庫を開放すべき時期を表す在庫開放時期とを含む予約商品情報を保持する予約情報ファイルとを備えるコンピュータに、
商品の入庫が発生した際に前記予約情報ファイルにおける当該入庫商品に対応する予約商品情報において前記予約順位の最も高いものを検索する手順と、
前記検索された予約商品情報において前記在庫状態を在庫確保状態に更新する手順と、
前記検索された予約商品情報において前記在庫開放時期を現時点から所定期間経過後の時期に設定する手順と
を実行させることを特徴とするプログラム。
【請求項２９】
予約された商品に関する予約商品情報であって在庫状態を示す予約在庫ステータスと予約の優先順位を示す予約順位と在庫を開放すべき時期を表す在庫開放時期とを含む予約商品情報を保持する予約情報ファイルと、組商品に関する情報を含む商品情報ファイルとを備えるコンピュータに、
商品の入庫が発生した際に前記予約情報ファイルにおける当該入庫商品に対応する予約商品情報において前記予約順位の最も高いものを検索する手順と、
前記検索された予約商品情報において前記在庫状態を在庫確保状態に更新する手順と、
前記検索された予約商品情報に係る商品が前記商品情報ファイルの前記組商品に関する情報により組商品であって本体であることを示す商品である場合において当該組商品の全ての要素商品に関して前記在庫状態が在庫確保状態となっていれば当該組商品の全ての要素商品の前記在庫開放時期を現時点から所定期間経過後の時期に設定する手順と
を実行させることを特徴とするプログラム。
【請求項３０】
購入予定の商品に関する購入予定商品情報を保持するバスケットファイルと、予約された商品に関する予約商品情報であって予約の優先順位を示す予約順位を含む予約商品情報を保持する予約情報ファイルとを備えるコンピュータに、
前記バスケットファイルに保持された前記購入予定商品情報に基づいて商品一覧を表示して商品先行予約入力を促す手順と、
前記商品先行予約入力がされた場合には当該商品先行予約入力に対応する前記予約商品情報を前記予約情報ファイルに保持させる手順と、
前記予約情報ファイルに保持された前記予約商品情報について前記予約順位をランダムに設定する手順と
を実行させることを特徴とするプログラム。